(57)【特許請求の範囲】
【請求項１】
本体の一側に設けられ釣り竿を位置決めする竿受け部と、前記本体の他側に設けられ釣り竿を保持する竿保持部と、前記本体を釣り船等に固定するクランプ装置とを備え、
前記竿保持部は、保持ベース部に対して移動可能に支持され互いに閉塞する方向に付勢される２つのアーム部を有し、該２つのアーム部は下方に移動されるときに互いに連動して開口し、上方に移動されるときに互いに連動して閉塞して釣り竿を保持することを特徴とする竿掛け装置。
【請求項２】
前記竿保持部は、２つのアーム部の中央に位置調整可能の受け部材を設け、前記２つのアーム部と前記受け部材とにより釣り竿を保持することを特徴とする請求項１記載の竿掛け装置。
【請求項３】
前記２つのアーム部は、先端にローラを回動可能に取付けてあることを特徴とする請求項１又は２記載の竿掛け装置。
【請求項４】
前記２つのアーム部は、前記保持ベース部の中央に形成した上下方向の上下スライド溝と、その両側に形成し上方に向けて中央に傾斜した傾斜スライド溝とに沿って移動可能であることを特徴とする請求項１乃至３のいずれかに記載の竿掛け装置。
【請求項５】
前記竿保持部は、前記本体に回動可能に取付けられ、釣り竿先端を下方に向けて付勢することを特徴とする請求項１乃至４のいずれかに記載の竿掛け装置。
【発明の詳細な説明】
【０００１】
【発明の属する技術分野】
本発明は、船釣りをするときに船縁に釣り竿を固定する竿掛け装置に係り、特に、釣り竿の保持及び取外しが容易に行え、外したときに釣り竿に部品の残らない竿掛け装置に関する。
【０００２】
【従来の技術】
従来、この種の竿掛け装置としては、特開平８−１７２９９３号公報に示される技術がある。この公報に示される船釣り用竿受具１は、図１０に示されるように竿受本体２に対して竿ｘを保持する竿取付片３を竿受本体２に固定される取付けベース４の連結突部５に所定角度に簡易に保持できるようにしたものである。そして、竿の船からの延出方向を随意に調整できて、潮の流れ等の種々の状況に対応した多様な竿操作を簡易に行うことができ、船の短距離移動等にも簡易に対応できるという効果を有するものである。
【０００３】
【発明が解決しようとする課題】
ところで、前記構造の竿掛け装置は、釣り竿ｘに竿取付片３を固定し、竿取付片３をベース４の連結突部５に嵌合させるため、釣り竿ｘを外したときに釣り竿ｘのグリップ部分に突起物等の部品（竿取付片３）が固定され、釣り竿ｘの重量が増すと共に操作性が極めて悪くなり、釣りの醍醐味が大きく損なわれるという問題点がある。また、突起物等の部品（竿取付片３）を固定したまま釣り竿ｘを操作する場合、この突起物等の部品が腕等に当たって思わぬ怪我をする虞があった。
【０００４】
本発明は、このような問題に鑑みてなされたものであって、その目的とするところは、釣り竿の保持及び取外しが極めて容易に行え、しかも確実に保持することができ、釣り竿を外したときにグリップ部分に突起物等の部品が残らず、釣り竿の操作性が極めて良好であり、突起物により怪我をする虞のない竿掛け装置を提供することにある。
【０００５】
【課題を解決するための手段】
前記目的を達成すべく、本発明に係る竿掛け装置は、本体の一側に設けられ釣り竿を位置決めする竿受け部と、前記本体の他側に設けられ釣り竿を保持する竿保持部と、前記本体を釣り船等に固定するクランプ装置とを備え、前記竿保持部は、保持ベース部に対して移動可能に支持され互いに閉塞する方向に付勢される２つのアーム部を有し、該２つのアーム部は下方に移動されるときに互いに連動して開口し、上方に移動されるときに互いに連動して閉塞して釣り竿を保持することを特徴とする。
【０００６】
また、本発明に係る竿掛け装置の好ましい具体的な態様としては、前記竿保持部は、２つのアーム部の中央に位置調整可能の受け部材を設け、前記２つのアーム部と前記受け部材とにより釣り竿を保持するように構成されることを特徴とし、前記２つのアーム部は、先端にローラを回動可能に取付けてあることを特徴としている。
【０００７】
さらに、本発明に係る竿掛け装置の好ましい具体的な他の態様としては、前記２つのアーム部は、前記保持ベース部の中央に形成した上下方向の上下スライド溝と、その両側に形成し上方に向けて中央に傾斜した傾斜スライド溝とに沿って移動可能であることを特徴とし、前記竿保持部は、前記本体に回動可能に取付けられ、釣り竿先端を下方に向けて付勢することを特徴としている。
【０００８】
このように構成された本発明の竿掛け装置は、釣り竿を２つのアーム部により保持し、２つのアーム部は下方に移動されると連動して開口し、上方に移動されると連動して閉塞するため、保持が確実で不用意に外れることがなく、釣り竿を外すときは一方のアーム部を押圧することにより容易に外すことができる。また、外したときに釣り竿のグリップ部分に突起物が残らないため、釣り竿を操作しやすく、突起物等の部品で怪我をすることがない。
【０００９】
２つのアーム部の中央に受け部材を設けることにより、釣り竿の保持がより確実になる。２つのアーム部の先端にローラを回動可能に取付けることにより釣り竿の着脱が容易となる。２つのアーム部を上下スライド溝と傾斜スライド溝とにより移動させることにより簡単な構造で確実に２つのアーム部を開口、閉塞することができる。竿保持部を本体に回動可能に取付け、釣り竿先端を下方に向けて付勢することにより、寄せ餌を撒いたり、魚との合わせを行うことができる。
【００１０】
【発明の実施の形態】
以下、本発明に係る竿掛け装置の一実施形態を図面に基づき詳細に説明する。図１は、本発明に係る竿掛け装置の一実施形態の概略斜視図、図２（ａ）は図１の竿保持部の正面図、図２（ｂ）は図２（ａ）のＡ−Ａ線断面図、図３は保持ベース部の正面図である。図１において、竿掛け装置１０は本体１１と、本体の一側に設けられ釣り竿１２を位置決めする竿受け部１５と、本体１１の他側に設けられ釣り竿１２を保持する竿保持部２０と、本体１１を船縁等に固定するクランプ装置４０とを備えている。
【００１１】
竿受け部１５は本体１１より上方に向けて２本の腕部１６、１６を突設させた略Ｕ字状をしており、釣り竿１２が略Ｕ字状部に載置され、左右方向の移動を阻止して位置決めするように構成されている。竿受け部１５の内面には釣り竿１２を載置するときの緩衝と、釣り竿１２の滑り止めのためにゴム等の材料から形成されるクッション材１７が貼着されている。竿受け部１５は本実施形態では本体１１に対しピン１８により傾動可能に支持されている。本体１１及び竿受け部１５はアルミニウム等の金属ダイキャスト、プラスチック等から構成され、プラスチックを用いる場合はガラス繊維や炭素繊維等の補強材を含む強化プラスチックを使用することが望ましい。
【００１２】
竿保持部２０は図１〜３に示されるように、保持ベース部２１に対して移動可能に支持された２つのアーム部２２、２２を有し、２つのアーム部２２、２２は下方に移動されるときに上部が互いに開口し、上方に移動されるときに上部が互いに閉塞して釣り竿１２を保持するように構成されている。すなわち、保持ベース部２１は厚板状材から形成され、中央柱部２１ａと、この中央柱部２１ａの上部から水平方向に延出して上方に突設された２つのガイド部２１ｂ、２１ｂと、２つのガイド部間の凹部２１ｃと、中央柱部２１ａ下方の固定部２１ｄとから構成される。
【００１３】
中央柱部２１ａには中心線上に上下方向に貫通する上下スライド溝２３が形成され、２つのガイド部２１ｂ、２１ｂには上方に向けて中心方向に傾斜し、上方につぼまる形状の傾斜スライド溝２４、２４が形成されている。２つのガイド部２１ｂ、２１ｂに形成された傾斜スライド溝２４、２４は、本実施形態ではｃ点を中心とする円周上に位置する半径Ｒの円周溝として形成されている。なお、ｃ点については後述する。
【００１４】
２つのアーム部２２、２２は同一形状なので一方について説明する。アーム部２２は下端に保持ベース部２１の中心線上に位置する揺動中心部２２ａが形成され、中央部は揺動中心部から側方に屈曲されてさらに上方に延出され、上部は拡幅されて中心方向に湾曲され、後述するローラ２５が回動可能に支持されている。アーム部２２は拡幅された上部以外が保持ベース部２１に対接する板状材より形成され、下端の揺動中心部２２ａは厚さが半分に削られて２つのアーム部が重ね合わされている。前記したｃ点は、ローラ２５の中心と保持される最小径の釣り竿１２の中心とを結ぶ作用線Ｌ１と揺動中心部２２ａを通る水平線Ｈとの交点である。
【００１５】
２つのアーム部２２、２２は、下端の揺動中心部２２ａに挿入された揺動軸２６が保持ベース部２１の上下スライド溝２３に挿入され、中央部に固定された移動軸２７、２７が傾斜スライド溝２４、２４に挿入されている。このため、一方のアーム部２２が下方に移動されると、揺動軸２６が上下スライド溝２３に沿って移動すると共に該アーム部２２が傾斜スライド溝２４により外側に移動し、他方のアーム部２２も揺動軸２６によって移動されるため互いに連動して上部が開口する。また、一方のアーム部２２が上方に移動されると、他方のアーム部２２も連動して上方に移動し、上下スライド溝２３に沿って移動すると共に傾斜スライド溝２４、２４により互いに閉塞するように移動する。
【００１６】
竿保持部２０は２つのアーム部２２、２２の中央に受け部材３０を有し、受け部材３０は保持ベース部２１の凹部２１ｃ内に位置している。受け部材３０は中心ねじ部３１が固定され、上部に発泡材等により構成された弾性シート３２が貼着されている。そして、中心ねじ部３１に螺合する調整リング３３が保持ベース部２１の凹部上面に対接し、調整リング３３の上面に支持板３４が支架されている。このため、調整リング３３を回転させることにより受け部材３０は上下動し、２つのアーム部２２、２２のローラ２５、２５と受け部材３０との間隔を調節して太さの異なる釣り竿１２を保持することができる。このように、釣り竿１２は上部を２つのローラ２５、２５により２点で支持されると共に、下部を受け部材３０により１点で支持され、外周の３点を支持されることにより安定的に保持される。
【００１７】
２つのアーム部２２、２２の上端にはローラ２５、２５が回動可能に支持されている。このローラ２５、２５はゴム等の弾力を有する材料より構成され、２つのアーム部２２、２２の上方位置において互いに閉塞し、下方位置において開口するように構成されている。竿保持部２０の中央柱部２１ａの外周にはコイルばね３５が巻回され、このコイルばね３５は２つのアーム部２２、２２を上方に押圧している。このため、２つのアーム部２２、２２は上下スライド溝２３に沿って上方に押圧されると共に傾斜スライド溝２４、２４に沿って上方に押圧され、上部のローラ２５、２５が互いに閉塞するように付勢されている。
【００１８】
竿保持部２０は保持ベース部２１の下端の固定部２１ｄが本体１１に軸部３６により回動可能に取付けられ、軸部３６に巻回されたコイルばね３７により釣り竿先端を下方に向けて付勢されている。このため、竿保持部２０に保持された釣り竿１２は先端を下方に付勢されて略Ｕ字状の竿受け部１５に押圧され、位置決めが確実となり、また、軸部３６を中心に回動させることにより釣り竿１２は略Ｕ字状の竿受け部１５から上方に移動でき、釣り竿１２を上下に揺動させて揺さぶることができ、寄せ餌を撒いたり、魚が餌を食ったときに合わせたりすることができる。
【００１９】
本体１１は図１に示されるように下方にクランプ装置４０を備えている、クランプ装置４０は、本体１１より垂下された垂下部１１ａ下端にクランプ材４１がピン４２により回動可能に支持され、クランプ材４１にはクランプねじ軸４３が螺合され、クランプねじ軸４３下端の操作軸４４を回転させることによりクランプねじ軸４３は軸方向に移動できる構成である。このように、クランプねじ軸４３を軸方向に移動させて本体１１との間の間隔を変化させ、船縁等に本体１１を固定する構成である。
【００２０】
前記の如く構成された本実施形態の竿掛け装置１０の動作について、図４、５を参照して以下に説明する。図４は釣り竿を保持する動作状態を示す竿保持部２０の正面図、図５は釣り竿を保持する動作説明図である。竿掛け装置１０に釣り竿１２を保持させるときは、上部のローラ２５、２５の中間に釣り竿１２を押し付ける。一方のローラ２５がＦＡの力で押圧され、その垂直方向の分力ＦＡｙの２倍の力がコイルばね３５の上方への押圧力ＦＢより大きくなると、ローラを支持している２つのアーム部２２、２２はコイルばね３５に抗して上下スライド溝２３及び傾斜スライド溝２４、２４に沿って下方に移動し、ＦＡの水平方向の分力ＦＡｘにより揺動軸２６に対してモーメントが発生すると共に、傾斜スライド溝２４、２４内の移動軸２７、２７が左右に広がるために２つのアーム部２２、２２は徐々に拡開する。このようにして２つのローラ２５、２５は徐々に開き、ローラ間距離Ｗが釣り竿１２の直径より大きくなると、釣り竿１２はローラ間を通過することができる。ローラ２５、２５が回転するため、釣り竿１２はローラ間を円滑に通過することができる。
【００２１】
釣り竿１２がローラ２５、２５間を通過すると、２つのアーム部２２、２２はコイルばね３５の押圧力により揺動軸２６が上下スライド溝２３内を上方に移動すると共に、移動軸２７、２７が傾斜スライド溝２４、２４内を上方に移動して２つのアーム部２２、２２を閉塞するように上方に復帰する。そして、２つのアーム部のローラ２５、２５間が完全に閉じた状態で、調整リング３３を回転させて受け部材３０の弾性シート３２が僅かに凹む程度に釣り竿１２を押圧するように調整する。これにより、釣り竿１２は上部の２点をローラ２５、２５に支持され、下部の１点を受け部材３０により支持されて、３点で確実に保持される。
【００２２】
この保持状態について、図６を参照して詳細に説明する。図６において、釣り竿１２には受け部材の弾性シート３２により上方に向けて押圧力が作用し、釣り竿１２とローラ２５は共に円形断面のためアーム部２２には釣り竿１２とローラ２５を結ぶ作用線Ｌ１上で釣り竿１２と反対方向に力Ｆ１を受ける。アーム部２２の中央部の移動軸２７はｃ点を中心とする円周上に形成された傾斜スライド溝２４に沿って移動するので、移動軸２７は傾斜スライド溝２４の壁から垂直抗力Ｆ２を受ける。また、アーム部２２の下端の揺動中心部２２ａに挿入された揺動軸２６は本体１１の上下スライド溝２３内を移動するので、揺動軸２６は本体の上下スライド溝２３の壁から垂直抗力Ｆ３を受ける。
【００２３】
前記のＦ１、Ｆ２、Ｆ３がそれぞれのアーム部２２、２２にかかるが、説明をわかりやすくするため、片方のアーム部２２について説明する。アーム部２２が独立して回転運動を起こさない物理的条件は、任意の点の周りにおける力のモーメントの和がゼロでなければならず、３つの力の作用線が１点に会せばこの条件を満たすことになる。すなわち、Ｆ１、Ｆ２、Ｆ３の３力が釣り竿１２を押さえた状態のとき、ｃ点で１点に会するので、アーム部２２には回転力が作用せず回転運動を起こさなくすることができる。また、釣り竿１２を外そうとする上向きの力が作用すると、力Ｆ１が大きくなり、垂直抗力Ｆ２、Ｆ３も大きくなるが、Ｆ１、Ｆ２、Ｆ３のｃ点における力のモーメントの和はゼロに保たれるので、アーム部２２は回転運動を起こさず、釣り竿１２を保持した状態を保てる。
【００２４】
釣り竿１２の直径が大きい場合は、図７に示すようにローラ２５の中心と釣り竿１２の中心を結ぶ線Ｌ２がｃ点の内側に位置し、前記したＦ２とＦ３の合力Ｆ２３と線Ｌ２に沿うＦ１′とにより反時計方向の回転力がアーム部２２に作用し、この回転力はアーム部２２を閉じる方向に作用するため釣り竿１２を確実に保持することができる。
【００２５】
釣り竿１２を竿掛け装置１０から外すときは、図８に示すように、一方のローラ２５をＦＣの力で下方に押圧する。力ＦＣの垂直方向の分力ＦＣｙの２倍の力が、コイルばね３５の上方への押圧力ＦＢより大きくなると、ローラ２５を支持する一方のアーム部２２は下方に移動し、揺動軸２６は上下スライド溝２３内を下方に移動すると共に移動軸２７は傾斜スライド溝２４内を下方に移動し、アーム部２２は中心より外側に揺動する。また、他方のアーム部２２も揺動軸２６により連動されて下方に移動するため、同様に傾斜スライド溝２４により外側に揺動して２つのローラ２５、２５は互いに開口する。開口幅が小さい場合は、一方のローラ２５をさらに押圧すると２つのローラ２５、２５間は大きく開口し、釣り竿１２を外すことが可能となる。このように、一方のローラ２５を押圧することにより極めて容易に２つのローラを開口させることができ、釣り竿１２を外すことができる。ローラ２５、２５が回転するため、釣り竿１２の通過は円滑に行われる。
【００２６】
つぎに、本発明の他の実施形態を図面に基づき詳細に説明する。図９は本発明に係る竿掛け装置の他の実施形態の概略正面図であり、（ａ）は直径の小さい釣り竿を保持した状態、（ｂ）は直径の大きい釣り竿を保持した状態を示す。なお、この実施形態の竿保持部５０は前記した実施形態に対し、２つのアーム部５１、５１の先端のローラが省略され、２つのアーム部５１、５１のみにより釣り竿１２を保持することを特徴とする。また、保持ベース部５２の傾斜スライド溝５３、５３は円周状に形成されたものでなく、直線状で傾斜する形状であり、２つのアーム部は移動軸５４、５４間に引張りばね５５が配設され、両者を互いに閉じる方向に付勢している。上下スライド溝５６は前記の実施形態と同様に、内部に揺動軸５７が位置している。そして、２つのアーム部５１、５１には釣り竿１２を保持する凹部５８が形成され、この凹部５８により釣り竿１２の外周の４点を保持するものである。
【００２７】
この例によれば、図９（ａ）のように保持される最小径の釣り竿１２ａの場合に、２つのアーム部の上部は僅かな間隙を有するように設定してあり、図９（ｂ）のように大きい直径の釣り竿１２ｂの場合は２つのアーム部は大きく開いて保持する。この竿掛け装置の釣り竿１２を竿保持部５０に保持する場合は、２つのアーム部５１、５１の上端の傾斜部に釣り竿１２を押圧する。２つのアーム部は押圧により下方に移動し、上下スライド溝５６内を揺動軸５７が移動すると共に、傾斜スライド溝５３、５３内を移動軸５４、５４が移動し、移動軸は引張りばね５５に抗して拡開する。釣り竿１２が拡開した間隔を通過すると、釣り竿１２は２つのアーム部の凹部５８に位置して引張りばね５５により確実に保持される。
【００２８】
この例も釣り竿１２に上向きの力が作用すると、引張りばね５５がアーム部に作用する以外に、２つのアーム部５１、５１にはそれぞれ上方に移動するような力Ｆ１″が作用する。例えば図示のように、一方のアーム部５１に上向きの力が作用すると、移動軸５４が上方に移動しようとして傾斜スライド溝５３の壁から垂直抗力Ｆ２″を受け、上下スライド溝５６の壁から垂直抗力Ｆ３″を受ける。このとき、力Ｆ１″の作用線Ｌ１″が、力Ｆ２″の作用線と力Ｆ３″の作用線との交点ｃ″を通るか又はｃ″点の内側に位置すれば、前記した実施形態と同様に釣り竿１２は確実に保持され、不用意に外れることはない。この例において、引張りばね５５の代わりに、前記した実施形態のコイルばね３５と同様のコイルばねを設けることも可能である。
【００２９】
なお、前記した実施形態では竿保持部の保持ベース部に上下スライド溝及び傾斜スライド溝を形成した例を示したが、保持ベース部に軸部を設けて２つのアーム部に上下スライド溝及び傾斜スライド溝を形成するように構成してもよい。また、クランプ装置として上下方向のクランプねじ軸により本体を固定する例を示したが、水平方向のクランプねじ軸により本体を固定するように構成してもよい。
【００３０】
【発明の効果】
以上の説明から理解できるように、本発明の竿掛け装置は、容易な操作で釣り竿を確実に保持でき、容易に外すことができる。また、釣り竿を外したときに釣り竿のグリップ部分に突起物等の部品が残らないため、釣り竿の操作がしやすく、怪我をすることがない。受部材を調整することにより直径の異なる釣り竿を確実に保持することができる。２つのアーム部の先端にローラを回動可能に取付けることにより釣り竿の着脱が容易となる。２つのアーム部を上下スライド溝及び傾斜スライド溝に沿って移動させることにより、簡単な構成で開口及び閉塞を行うことができる。竿保持部は本体に回動可能とすることにより釣り竿を上下動でき、寄せ餌を撒いたり、魚との合わせが可能となる。
【図面の簡単な説明】
【図１】本発明に係る竿掛け装置の一実施形態の概略斜視図。
【図２】（ａ）は図１の竿保持部の正面図、（ｂ）は（ａ）のＡ−Ａ線断面図。
【図３】竿保持部の保持ベース部の正面図。
【図４】釣り竿を保持する動作状態を示す竿保持部の正面図。
【図５】釣り竿を保持する動作説明図。
【図６】小径の釣り竿の保持状態を示す説明図。
【図７】大径の釣り竿の保持状態を示す説明図。
【図８】釣り竿を外す動作説明図。
【図９】本発明に係る竿掛け装置の他の実施形態を示す竿保持部の概略正面図。
【図１０】従来技術を示す概略構成図。
【符号の説明】
１０  竿掛け装置
１１  本体
１２  釣り竿
１５  竿受け部
２０、５０  竿保持部
２１、５２  保持ベース部
２２、５１  アーム部
２３、５６  上下スライド溝
２４、５３  傾斜スライド溝
２５  ローラ
２６、５７  揺動軸
２７、５４  移動軸
３０  受け部材
３３  調整リング
３５、３７  コイルばね
３６  軸部
４０  クランプ装置
５５  引張りばね
５８  凹部
【図１】
0004188506.tif 000002
【図２】
0004188506.tif 000003
【図３】
0004188506.tif 000004
【図４】
0004188506.tif 000005
【図５】
0004188506.tif 000006
【図６】
0004188506.tif 000007
【図７】
0004188506.tif 000008
【図８】
0004188506.tif 000009
【図９】
0004188506.tif 000010
【図１０】
0004188506.tif 000011